(57)【要約】【課題】遊技機への取り付けに関する汎用性を高めることが可能な不正防止部材および遊技機を提供する。【解決手段】不正防止部材３０は、本体部３１と、本体部３１から前方に部分的に突出する２つの突出片３２と、２つの突出片３２の各々の先端に下方に延びて形成される爪３３と、突出片３２の下側に位置し、下横枠部材の縁部を受け入れる凹形状の受け入れ部３４と、突出片３２の下側に位置し、本体部３１から前方に突出する複数のリブ３５と、複数のリブ３５の端面により構成される当接面３６と、を備えている。また、不正防止部材３０は、本体部３１から後方に延在する延在部４０と、延在部４０の後端から立ち上がるように形成される立壁部４１，４２と、立壁部４１，４２の上端から前方に延びるリブ４３と、を備えている。【選択図】図５
2010136937.tif 000002
【特許請求の範囲】
【請求項１】
外枠と当該外枠の前面下部に配置された幕板とを備える遊技機に用いられる不正防止部材であって、
本体部と、
前記本体部に立設し、当該本体部の一方向に沿って形成された立壁部と、
前記本体部から突出する突出片を有し、前記外枠と係合して当該本体部を当該外枠に取り付ける爪を当該突出片の先端部に有する爪取り付け部と、
を備えることを特徴とする不正防止部材。
【請求項２】
前記本体部から前記立壁部が立設する方向とは反対の方向に立設して当該本体部に形成される当接部をさらに備え、
前記当接部は、前記本体部が前記爪取り付け部により前記外枠に取り付けられると、当該外枠の後面下部と当接可能であることを特徴とする請求項１に記載の不正防止部材。
【請求項３】
前記立壁部は、前記爪取り付け部が位置する側の面にリブを有することを特徴とする請求項１または２に記載の不正防止部材。
【請求項４】
前記立壁部は、前記本体部の前記一方向に沿って波形状に形成されていることを特徴とする請求項１または２に記載の不正防止部材。
【請求項５】
前記本体部は、長手方向に長い長手形状であり、
前記本体部の前記一方向は、前記本体部の前記長手方向であることを特徴とする請求項１ないし４のいずれか１項に記載の不正防止部材。
【請求項６】
外枠と当該外枠に開閉自在に装着される内枠と当該外枠の前面下部に配置された幕板とを備える遊技機であって、
前記外枠の後ろ側に設けられる本体部と、
前記内枠の後ろ側に位置するように前記本体部に形成され、当該本体部の一方向に沿って延びる立壁部と、
前記本体部から前記外枠を横断する方向に突出する突出片と、
前記突出片の先端部に形成され、前記外枠と係合して前記本体部を当該外枠に取り付けるための爪と、
を備えることを特徴とする遊技機。
【請求項７】
前記本体部に形成され、前記外枠の後面下部と当接可能な当接部をさらに備えることを特徴とする請求項６に記載の遊技機。
【発明の詳細な説明】
【技術分野】
【０００１】
本発明は、例えばパチンコ遊技機等の遊技機に対する不正行為を防止するのに用いられる不正防止部材および遊技機に関するものである。
【背景技術】
【０００２】
パチンコ遊技機等の遊技機では、遊技球が始動口等の役物に入賞することにより大当たりの抽選が行われる。そして、大当たりに当選した場合には、遊技機は、大入賞口が開放されて、多くの賞球を獲得し得る大当たり遊技状態となる。したがって、遊技機が設置されたホールでは、遊技者は、遊技機を大当たり遊技状態にすべく、遊技球を打つことで入賞による大当たりの抽選が行われるように遊技を行う。
【０００３】
ところで、このようなホールでは、通常の遊技をするのではなく、遊技機に生じる隙間から不正治具を侵入させて遊技機を操作する不正行為によって容易に賞球を獲得してしまうことを防止する必要がある。その対策としては、従来から種々の構造が提案されている（例えば、特許文献１参照）。
この特許文献１には、パチンコ機の外枠本体の前面下部に固着された幕板の上面に、平板からなる上面カバーをビスで固着する構造が開示されている。さらに説明すると、この上面カバーの後端部を上向きに９０度折り曲げることで、閉止状態の前枠の裏面側に所定高さで起立する平板状の縦壁を形成し、前枠と上面カバーとの合わせ面の隙間を塞いでいる。
【０００４】
【特許文献１】特開２００３−３４００７９号公報
【発明の開示】
【発明が解決しようとする課題】
【０００５】
ここで、不正防止対策のための不正防止部材を遊技機に取り付ける場合には、遊技機を製造する段階と、すでに出荷して例えばホールに設置した後の段階と、が考えられる。したがって、製造段階での事前取り付けのみならず、出荷後の事後的な取り付け（後付け）にも対応可能な不正防止部材が求められる。
【０００６】
本発明は、遊技機への取り付けに関する汎用性を高めることが可能な不正防止部材および遊技機を提供することを目的とする。
【課題を解決するための手段】
【０００７】
かかる目的のもと、本発明が適用される不正防止部材は、外枠１０と当該外枠１０の前面下部に配置された幕板１６とを備える遊技機１００に用いられる不正防止部材３０であって、本体部３１と、前記本体部３１に立設し、当該本体部３１の一方向に沿って形成された立壁部４１，４２と、前記本体部３１から突出する突出片３２を有し、前記外枠１０と係合して当該本体部３１を当該外枠１０に取り付ける爪３３を当該突出片３２の先端部に有する爪取り付け部５１と、を備えることを特徴とするものである。
【０００８】
ここで、前記本体部３１から前記立壁部４１，４２が立設する方向とは反対の方向に立設して当該本体部３１に形成される当接部３６をさらに備え、前記当接部３６は、前記本体部３１が前記爪取り付け部５１により前記外枠１０に取り付けられると、当該外枠１０の後面下部と当接可能であることを特徴とすることができる。また、前記立壁部４１，４２，７１は、前記爪取り付け部５１が位置する側の面にリブ４３を有することを特徴とすることができる。また、前記立壁部７１は、前記本体部３１の前記一方向に沿って波形状に形成されていることを特徴とすることができる。また、前記本体部３１は、長手方向に長い長手形状であり、前記本体部３１の前記一方向は、前記本体部３１の前記長手方向であることを特徴とすることができる。
【０００９】
他の観点から捉えると、本発明が適用される遊技機は、外枠１０と当該外枠１０に開閉自在に装着される内枠２０と当該外枠１０の前面下部に配置された幕板１６とを備える遊技機１００であって、前記外枠１０の後ろ側に設けられる本体部３１と、前記内枠２０の後ろ側に位置するように前記本体部３１に形成され、当該本体部３１の一方向に沿って延びる立壁部４１，４２と、前記本体部３１から前記外枠１０を横断する方向に突出する突出片３２と、前記突出片３２の先端部に形成され、前記外枠１０と係合して前記本体部３１を当該外枠１０に取り付けるための爪３３と、を備えることを特徴とするものである。
【００１０】
ここで、前記本体部３１に形成され、前記外枠１０の後面下部と当接可能な当接部３６をさらに備えることを特徴とすることができる。
【００１１】
なお、本欄における上記符号は、本発明の説明に際して例示的に付したものであり、この符号により本発明が減縮されるものではない。
【発明の効果】
【００１２】
本発明によれば、遊技機への取り付けに関する汎用性を高めることが可能になる。
【発明を実施するための最良の形態】
【００１３】
以下、添付図面を参照して、本発明の実施の形態について詳細に説明する。
〔遊技機の基本構成〕
図１は、本実施の形態に係るパチンコ遊技機１００の概略正面図である。
同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０と、を備えている。遊技盤１１０は、枠部材１５０に着脱自在に取り付けられている。
【００１４】
遊技盤１１０は、前面に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３と、を備えている。
本実施の形態では、遊技者により視認され易い遊技領域１１１の位置に、演出のための各種の画像を表示する画像表示部１１４が配設されている。この画像表示部１１４は、遊技者によるゲームの進行に伴い、例えば、図柄抽選結果（図柄変動結果）を遊技者に装飾図柄により報知したり、キャラクタの登場やアイテムの出現による予告演出を表示したりする。なお、画像表示部１１４としては、例えば液晶表示装置、ＥＬ表示装置、ＬＥＤドット表示装置または７セグ表示装置等による構成例が考えられる。
また、本実施の形態では、遊技盤１１０の前面に、各種の演出に用いられる可動役物１１５および盤ランプ１１６を備えている。可動役物１１５は、遊技盤１１０に対して可動に構成され、可動による各種の演出を行い、また、盤ランプ１１６は、発光することで光による各種の演出を行う。
【００１５】
遊技領域１１１には、遊技球が落下する方向に変化を与えるための図示しない遊技くぎおよび風車等が配設されている。また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。
【００１６】
本実施の形態では、入賞や抽選に関する種々の役物として、遊技球が入ると入賞して特別図柄抽選（大当たり抽選）が始動する第１始動口１２１と、第１始動口１２１の下方に位置し、遊技球が入ると入賞して特別図柄抽選が始動する第２始動口１２２と、遊技球が通過すると普通図柄抽選（開閉抽選）が始動するゲート１２４と、が遊技盤１１０に配設されている。ここにいう第１始動口１２１および第２始動口１２２とは、予め定められた１の特別電動役物（大入賞口１２５）、または予め定められた１の特別図柄表示器の何れかを作動させることとなる遊技球の入賞に係る入賞口をいう。
第２始動口１２２は、チューリップの花の形をした一対の羽根が電動ソレノイドにより開閉すると共に点灯する普通電動役物としての電動チューリップ１２３を備えている。電動チューリップ１２３は、羽根が閉じていると、遊技球は第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば６秒間）および規定回数（例えば３回）だけ開く。
【００１７】
なお、パチンコ遊技機１００は、所定の条件下で、特別図柄抽選時に大当たりが抽選される大当たり確率が変動する場合（低確状態（例えば３００分の１）から高確状態（例えば３０分の１）への変動）がある。また、パチンコ遊技機１００は、所定の条件下で、特別図柄抽選時の特別図柄変動時間が短縮されたり、普通図柄抽選時の当選する確率が高まったり、普通図柄抽選時の普通図柄変動時間が短縮されたり、電動チューリップ１２３の羽根の開時間が延長されたり、電動チューリップ１２３の羽根が開く回数が増えたりする（電チューサポート）場合がある。
【００１８】
また、本実施の形態では、入賞や抽選に関する種々の役物として、第２始動口１２２の下方に位置し、特別図柄抽選の結果に応じて開放する大入賞口１２５と、遊技球が入賞しても抽選が始動しない普通入賞口１２６と、が遊技盤１１０に配設されている。この大入賞口１２５は、通常は閉状態であるが特別図柄抽選の結果により所定条件（例えば３０秒経過または遊技球１０個の入賞）を満たすまで突出傾斜して開状態が維持されるラウンドを所定回数（例えば１５回または２回）だけ繰り返す。
なお、本実施の形態では、遊技領域１１１に第１始動口１２１および第２始動口１２２が配設されているが、いずれか一方のみを配設する構成例や他の始動口を配設する構成例も考えられる。また、本実施の形態では、遊技領域１１１に大入賞口１２５が１つ配設されているが、大入賞口１２５を複数配設する構成例も考えられる。
本実施の形態では、遊技盤１１０の右下の位置に、抽選結果や保留数に関する表示を行う表示器１３０が配設されている。この表示器１３０の詳細は後述する。
【００１９】
賞球の払い出しについて説明する。第１始動口１２１、第２始動口１２２、大入賞口１２５および普通入賞口１２６に遊技球が入賞すると、遊技球が入賞した場所に応じて、１つの遊技球当たり規定個数の賞球が払い出される。その一例を示すと、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球がそれぞれ払い出される。なお、ゲート１２４を遊技球が通過したことを検出しても、それに連動した賞球の払い出しは無い。
【００２０】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３（図２参照）と、を備えている。この皿１５３には、例えば払い出しユニットによる払出球が払い出される。
なお、本実施の形態では、皿１５３を上下皿一体で構成しているが、上皿と下皿とを分離する構成例も考えられる。また、発射装置のハンドル１５１を所定条件下で発光させる構成例も考えられる。
【００２１】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００２２】
図２は、本実施の形態に係るパチンコ遊技機１００を説明する図であり、（ａ）は、遊技盤１１０の右下に配設された表示器１３０の一例を示す拡大図であり、（ｂ）は、パチンコ遊技機１００の部分平面図である。
パチンコ遊技機１００の表示器１３０は、図２の（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。第１特別図柄表示器２２１は、第１始動口１２１の入賞による特別図柄を変動表示しその抽選結果を表示する。第２特別図柄表示器２２２は、第２始動口１２２の入賞による特別図柄を変動表示しその抽選結果を表示する。普通図柄表示器２２３は、遊技球がゲート１２４を通過することにより普通図柄を変動表示しその抽選結果を表示する。なお、本実施の形態では、第１特別図柄表示器２２１および第２特別図柄表示器２２２は、７セグ表示装置で構成され、また、普通図柄表示器２２３は、ＬＥＤ表示装置で構成されている。
【００２３】
また、表示器１３０は、第１特別図柄表示器２２１での保留に対応して作動する第１特別図柄保留表示器２１８と、第２特別図柄表示器２２２での保留に対応して作動する第２特別図柄保留表示器２１９と、普通図柄表示器２２３での保留に対応して作動する普通図柄保留表示器２２０と、を備えている。この保留について説明する。変動表示動作中（入賞１回分の変動表示が行なわれている間）にさらに他の遊技球による入賞があると、その入賞した遊技球に対する図柄の変動表示動作は、先に入賞した遊技球に対する変動表示動作が終了するまで、規定個数（例えば４個）を限度に保留される。このような保留がなされていることおよびその保留の数（未抽選数）が、第１特別図柄保留表示器２１８、第２特別図柄保留表示器２１９および普通図柄保留表示器２２０に表示される。なお、本実施の形態では、第１特別図柄保留表示器２１８、第２特別図柄保留表示器２１９および普通図柄保留表示器２２０の各々は、一列に配設したＬＥＤ表示装置で構成され、その点灯態様によって保留数が表示される。
【００２４】
パチンコ遊技機１００の枠部材１５０は、遊技者が演出に対する入力を行うための入力装置を備えている。図２の（ｂ）に示すように、本実施の形態では、入力装置の一例として、演出ボタン１６１と、演出ボタン１６１に隣接し、略十字に配列された複数のキーからなる演出キー１６２と、が枠部材１５０に配設されている。演出キー１６２は、その中央に１つの中央キーを配置し、また、中央キーの周囲に略同一形状の４つの周囲キーを配置して構成されている。遊技者は、４つの周囲キーを操作することにより、画像表示部１１４に表示されている複数の画像のいずれかを選ぶことが可能であり、また、中央キーを操作することにより、選んだ画像を情報として入力することが可能である。
【００２５】
次に、パチンコ遊技機１００の枠部材１５０の構成について説明する。
図３は、枠部材１５０の構成を説明する斜視図である。
同図に示すように、枠部材１５０は、縦長の所謂フレーム構造である枠部材本体としての外枠１０と、外枠１０に開閉自在に装着される前面枠（内枠）２０とを備える。外枠１０は、４つの金属製の枠部材である右縦枠部材１１、左縦枠部材１２、上横枠部材１３および下横枠部材１４（図４参照）と、外枠１０の四隅に位置し、隣り合う枠部材を相互に連結する角部材１５とを有する。
【００２６】
前面枠２０は、上下方向に回転軸が延びるように一側部（図１での左側部）が外枠１０に取り付けられている。付言すると、前面枠２０は、透明板を所定位置に保持する透明板保持枠２１と、遊技盤１１０を所定位置に保持する遊技盤保持枠２２とを備えている。そして、図３に示すように、閉めた状態の透明板保持枠２１および遊技盤保持枠２２を一体で外枠１０に対して回転させて開けることが可能である。また、図示を省略するが、透明板保持枠２１および遊技盤保持枠２２を閉めた状態において、遊技盤保持枠２２を単独で外枠１０および遊技盤保持枠２２に対して回転させて開けることが可能である。
なお、前面枠２０の遊技盤保持枠２２には、外枠１０の右縦枠部材１１と係合して前面枠２０が開かないように施錠するための施錠部材２３，２４，２５が設けられている。この施錠部材２３，２４，２５は、パチンコ遊技機１００の正面側に配設されている鍵穴１５８（図１参照）に不図示の鍵を差し込んで所定の方向に回転することで、連動して施錠動作および開錠動作を行う。
【００２７】
なお、遊技盤１１０の後面には、各種の基板等が取り付けられ、また、これら各種の基板等は、内部が視認可能な透明のカバー５１０によって覆われている。この各種の基板等について付言すると、遊技盤１１０の後面には、メイン基板およびサブ基板が配設されている。すなわち、遊技盤１１０の後面には、メイン基板として、内部抽選および当選の判定等を行う遊技制御部が構成された遊技制御基板５２０が配設されている。この遊技制御基板５２０は、開封することにより痕跡が残るように透明部材で構成されたメイン基板ケース５４０に密封されている。
【００２８】
また、サブ基板として、演出を統括的に制御する演出制御部が構成された演出制御基板５３０、画像および音による演出を制御する画像/音響制御部が構成された画像制御基板（不図示）、および、各種のランプおよび可動役物１１５による演出を制御するランプ制御部が構成されたランプ制御基板（不図示）等が配設されている。また、遊技盤１１０の後面には、供給された２４ＶのＡＣ電源をＤＣ電源に変換して各種の基板等に出力するスイッチング電源５５０が配設されている。
付言すると、払出球の払い出し制御を行う払出制御部が構成された払出制御基板（不図示）と、払出制御基板により制御され、外部から補給された補給球を一時的に溜めておき、賞球の払い出しや貸し球の払い出しを行う払い出しユニット５６０と、が枠部材１５０の前面枠２０に配設されている。
【００２９】
図４は、外枠１０の外観を示す斜視図であり、同図の（ａ）は、不正防止部材３０を取り付けた状態の外枠１０を部分的に示し、（ｂ）は、不正防止部材３０を取り付ける前の状態の外枠１０を部分的に示している。なお、同図では、便宜上、右縦枠部材１１および左縦枠部材１２の中間部分を破断することで省略して示している。
同図の（ａ）に示すように、外枠１０の前面下部には、下横枠部材１４と同じ方向（横方向、左右方向）に延びる幕板１６が取り付けられている。なお、幕板１６の上端の縦方向の位置は、下横枠部材１４の上端の縦方向の位置と略同一である。また、幕板１６の前面（遊技者側の面）には、例えば社名やロゴ等を付すことで意匠的な装飾を施すことが可能である。
【００３０】
また、外枠１０は、前面枠２０が開閉する際に前面枠２０と摺動する樹脂製の摺動部１７を有する。より具体的には、この摺動部１７は、下横枠部材１４（同図の（ｂ）参照）に取り付けられている。また、摺動部１７は、下横枠部材１４の上面に位置し、かつ、前面枠２０の回転軸が位置する側とは反対側（図４での右側）に片寄って位置している。
また、摺動部１７は、前面枠２０の遊技盤保持枠２２が閉じている状態で遊技盤保持枠２２の下面と当接して前面枠２０を保持する。このため、前面枠２０が閉じている状態では、前面枠２０と幕板１６との間に、隙間が形成されることになる。
【００３１】
ところで、このような隙間は、各種の不正行為に利用されるという事態も考えられる。かかる事態に対処すべく、本実施の形態では、不正防止部材３０を備えている。詳細は後述するが、この不正防止部材３０は、長手方向（本体部３１の一方向）に長く形成された長手形状の部材であり、外枠１０の下横枠部材１４に取り付けられる。
不正防止部材３０の長さは、右縦枠部材１１の内側面から左縦枠部材１２の内側面までの距離よりも短い。さらに説明すると、不正防止部材３０の長手方向における一端面は、右縦枠部材１１の内側面と接触せずに離間し、他端面は、左縦枠部材１２の内側面と接触せずに離間している。
ここで、同図の（ｂ）に示すように、下横枠部材１４は、不正防止部材３０を取り付けるための特別な構造を有していない。すなわち、不正防止部材３０は、出荷後のパチンコ遊技機１００に後付けすることが可能であり、また、組み立て完成後のパチンコ遊技機１００に取り付けた後に出荷することも可能である。
【００３２】
続いて、不正防止部材３０の構造について説明する。
〔第１の実施の形態〕
図５および図６は、第１の実施の形態に係る不正防止部材３０の構造を説明するための図である。すなわち、図５は、不正防止部材３０の外観を示す斜視図である。また、図６は、不正防止部材３０の断面図であり、（ａ）は、図５の線VIａ−VIａによる断面図であり、（ｂ）は、図５の線VIb−VIbによる断面図である。
図５または図６に示すように、不正防止部材３０は、不正防止部材３０の本体をなす本体部３１と、本体部３１から前方（図５の手前方向。図６の左方向）に部分的に突出する２つの突出片３２と、２つの突出片３２の各々の先端に下方に延びて形成される爪３３と、を備えている。なお、突出片３２と爪３３により、本体部３１を下横枠部材１４に取り付けるための爪取り付け部５１が構成される。
【００３３】
さらに説明すると、突出片３２は、本体部３１に対してたわむことが可能に構成されている。そのため、不正防止部材３０が下横枠部材１４に取り付けられる際に突出片３２は上方にたわみ、突出片３２がたわんだ状態で爪３３が下横枠部材１４に引っ掛けられる。爪３３を下横枠部材１４に引っ掛けることにより、不正防止部材３０は下横枠部材１４に取り付けられる。
【００３４】
また、図５または図６に示すように、不正防止部材３０は、突出片３２の下側に位置し、下横枠部材１４の縁部を受け入れる凹形状の受け入れ部３４と、突出片３２の下側に位置し、本体部３１から前方に突出する複数のリブ３５と、を備えている。なお、受け入れ部３４が形成されるように、複数のリブ３５を形成しているということもできる。
また、複数のリブ３５は、互いに高さが略同一であり、そのため、不正防止部材３０は、複数のリブ３５の端面により構成される当接部の一例としての当接面３６を備えている。この当接面３６は、本体部３１から立壁部４１，４２が立設する方向とは反対の方向に立設するように形成されている。
【００３５】
また、不正防止部材３０は、当接面３６よりも突出し、バネ性を有するように形成された先端部を有する付勢部３７を備えている。また、不正防止部材３０は、長手方向の一端部（図５の奥側）に形成される突き当て部３８と、長手方向の他端部（同図の手前側）に形成される突き当て部３９と、を備えている。
不正防止部材３０が下横枠部材１４に取り付けられると、付勢部３７が変形する。具体的には、付勢部３７の先端部が下横枠部材１４の後面との接触により引っ込み、これにより先端部が下横枠部材１４の後面を押圧する。さらには、当接面３６が下横枠部材１４の後面と当接すると共に、突き当て部３８、３９の各々は、角部材１５の後面と当接することになる。すなわち、突き当て部３８は、左縦枠部材１２の下端部と連結する角部材１５の後面と当接し、また、突き当て部３９は、右縦枠部材１１の下端部と連結する角部材１５の後面と当接する。
【００３６】
さらに説明すると、不正防止部材３０が下横枠部材１４に取り付けられる場合に突出片３２を上方にたわませたときには、当接面３６が下横枠部材１４の後面と強い力で当接すると共に、付勢部３７および突き当て部３８，３９が角部材１５の後面と強い力で当接する。そして、不正防止部材３０が下横枠部材１４に取り付けた後にも、これらの当接は維持され、突出片３２および爪３３と下横枠部材１４との係合が保持される。なお、付勢部３７を設けることによって、不正防止部材３０を下横枠部材１４にはめ込む作業が容易になる。
このように、不正防止部材３０は、突出片３２、爪３３、受け入れ部３４、リブ３５、当接面３６、突き当て部３８、３９の相互作用により、ねじ等の取り付け部品が無くても不正防止部材３０を下横枠部材１４に、より強固に取り付けることができる。しかも、突出片３２のたわみ作用によって、いったん下横枠部材１４に取り付けた不正防止部材３０は外れにくい。
【００３７】
また、図５または図６に示すように、不正防止部材３０は、本体部３１から後方（図５の奥方向。図６の右方向）に延在する延在部４０と、延在部４０の後端から立ち上がるように形成される立壁部４１，４２と、を備えている。また、不正防止部材３０は、立壁部４１，４２の上端から前方に延びるリブ４３を備えている。このリブ４３は、立壁部４１，４２の、爪取り付け部５１が位置する側の面に形成されている。これら延在部４０、立壁部４１，４２およびリブ４３は、本体部３１の長手方向略全長にわたって形成されている。
また、図６に示すように、不正防止部材３０は、延在部４０の下面に位置し、延在部４０と本体部３１とをつないで剛性を高めるためのリブ４４を備えている。このリブ４４は、本体部３１の長手方向に関して所定間隔で形成されている。
このように、不正防止部材３０は、延在部４０および立壁部４１，４２を備えるほか、リブ４３，４４を備えることで、延在部４０および立壁部４１，４２のたわみを防止している。
【００３８】
また、不正防止部材３０は、長手方向に関して部分的に仕切るための壁によって構成される仕切り部４５を備えている。この仕切り部４５は、長手方向の一端部（図５の奥側）寄りに位置している。付言すると、仕切り部４５を設けることによって、不正治具としての針金が挿入される事態に対処している。
なお、不正防止部材３０は、周辺部品との干渉防止等のための形状で形成されている。例えば、不正防止部材３０は、摺動部１７との干渉防止のための切欠き部４６，４７を本体部３１に備えている。また、不正防止部材３０は、前面枠２０との干渉防止のための切欠き部４８を本体部３１に備えている。また、不正防止部材３０は、前面枠２０との干渉防止のための切欠き部４９，５０を立壁部４１，４２に備えている。
【００３９】
図７は、不正防止部材３０を取り付けた場合の幕板１６上部付近の断面図である。
同図に示すように、不正防止部材３０を外枠１０の下横枠部材１４に取り付けると、不正防止部材３０の本体部３１は、下横枠部材１４の後ろ側に設けられる。また、不正防止部材３０の立壁部４１，４２は、前面枠２０の後ろ側に位置している。また、不正防止部材３０の突出片３２は、下横枠部材１４を横断する方向に突出している。
【００４０】
そして、下横枠部材１４に取り付けられた不正防止部材３０は、幕板１６の上部の隙間Ｓが減少するように乃至隙間Ｓが無くなるように配置される。さらに説明すると、部品製造上の公差によるパチンコ遊技機１００の個体差や、組み立て時の作業性を考慮すると、不正防止部材３０によっても隙間Ｓを完璧になくすことは難しい場合があり得る。そのような場合には、わずかに形成された隙間Ｓから不正行為に用いられる不正治具（不図示）が差し込まれるおそれがある。したがって、かかる不正治具を隙間Ｓから強く差し込まれたとしても、立壁部４１，４２が後方にたわまないようにする必要がある。
この点で、本実施の形態では、とりわけ立壁部４１，４２のたわみを防ぐための構造を採用している。具体的には、立壁部４１，４２にリブ４３を形成し、また、延在部４０の下面にリブ４４を形成している。
また、立壁部４１，４２にリブ４３を形成することで、たとえ不正治具（不図示）が隙間Ｓから差し込まれたとしても、不正治具（不図示）が立壁部４１，４２を乗り越えて更に内部に侵入したり、上方に移動したりすることを阻止している。
【００４１】
ここで、本実施の形態については、種々の変形例が考えられる。
図８は、一変形例に係る不正防止部材６０の構造を説明するための図である。なお、不正防止部材６０の基本的な構造は、不正防止部材３０と共通するため、共通する箇所には同じ符号を用い、その説明を省略することがある。
同図に示す不正防止部材６０は、立壁部４１，４２の上端から前方に延びるリブ４３（図６参照）の代わりに、斜め下方に延びるリブ６１を備えている。このリブ６１は、立壁部４１，４２との成す角度が略直角ではなく、鋭角すなわち９０度よりも小さい。このため、不正治具（不図示）が立壁部４１，４２を乗り越えて更に内部に侵入したり、上方に移動したりすることをより確実に阻止することが可能である。
【００４２】
また、本実施の形態では、不正防止部材３０の本体部３１が長手形状であり、１台の遊技機１００当たりに１つの不正防止部材３０を取り付ける構成を採用しているが、長手形状以外の形状の場合も考えられる。例えば、短い形状の不正防止部材３０を下横枠部材１４の中央部にのみ取り付ける場合や、１台の遊技機１００に下横枠部材１４の長さ方向に沿って複数個を並べて取り付ける場合が考えられる。
【００４３】
〔第２の実施の形態〕
次に、第２の実施の形態について説明する。
図９は、本実施の形態に係る不正防止部材７０の構造を説明するための図である。同図の（ａ）は、不正防止部材７０の横断面図であり、（ｂ）は、不正防止部材７０の一部を示す斜視図である。なお、不正防止部材７０の基本的な構造は、不正防止部材３０と共通するため、共通する箇所には同じ符号を用い、その説明を省略することがある。
同図に示すように、不正防止部材７０は、延在部４０の後端から立ち上がるように形成される立壁部７１を備えている。この立壁部７１は、不正防止部材７０の長手方向（本体部３１の一方向）に沿って波形状となるように形成されている。この波形状は、不正防止部材７０の長手方向に進むに従って幅方向（長手方向と交差する方向）に連続的に変化している。また、この波形状を同じ変化が繰り返されるように形成する場合のほかに、不規則的に幅方向に変化するように形成する場合も考えられる。
【００４４】
なお、立壁部７１は、高さ方向には変化していない。すなわち、不正防止部材７０の長手方向の位置が同じであれば、高さ方向での立壁部７１の形状は同一である。しかしながら、高さ方向での立壁部７１の形状も変化するように構成することも考えられる。
本実施の形態では、波形状の立壁部７１を備えることによって、たとえ不正治具（不図示）が差し込まれたとしても、立壁部７１まで達した不正治具（不図示）の動きを波形状によって規制することが可能になる。
【００４５】
さらに説明すると、不正防止部材７０は、第１の実施の形態の場合とは異なり、立壁部４１，４２の上端から前方に延びるリブ４３（図５または図６参照）を備えていない。このような立壁部７１によって立壁部７１自身の剛性が高まるので、第１の実施の形態の場合のリブ４３がなくても必要な剛性を確保することが可能になる。当然ながら、本実施の形態でも、第１の実施の形態と同様に、リブ４３を設けることも考えられる。
【００４６】
このように、上述した第１の実施の形態および第２の実施の形態では、幕板１６の上部の隙間Ｓをなくすことが可能であり、また、わずかに残った隙間Ｓを利用して不正治具を差し込まれたとしても、パチンコ遊技機１００の内部における目的とする場所に達することを阻止することができる。
【図面の簡単な説明】
【００４７】
【図１】本実施の形態に係るパチンコ遊技機の概略正面図である。
【図２】本実施の形態に係るパチンコ遊技機を説明する図である。
【図３】枠部材の構成を説明する斜視図である。
【図４】外枠の外観を示す斜視図である。
【図５】第１の実施の形態に係る不正防止部材の構造を説明するための図である。
【図６】第１の実施の形態に係る不正防止部材の構造を説明するための図である。
【図７】不正防止部材を取り付けた場合の幕板上部付近の断面図である。
【図８】一変形例に係る不正防止部材の構造を説明するための図である。
【図９】第２の実施の形態に係る不正防止部材の構造を説明するための図である。
【符号の説明】
【００４８】
１０…外枠、１４…下横枠部材、１６…幕板、２０…前面枠、３０，６０、７０…不正防止部材、３１…本体部、３２…突出片、３３…爪、３４…受け入れ部、３５…リブ、３６…当接面、４１，４２、７１…立壁部、４３，４４，６１…リブ、５１…爪取り付け部、１００…パチンコ遊技機
【図１】
2010136937.tif 000003
【図２】
2010136937.tif 000004
【図３】
2010136937.tif 000005
【図４】
2010136937.tif 000006
【図５】
2010136937.tif 000007
【図６】
2010136937.tif 000008
【図７】
2010136937.tif 000009
【図８】
2010136937.tif 000010
【図９】
2010136937.tif 000011